(57)【要約】【課題】空気が汚れた場所でプロジェクタを使用するに際しての各種の不都合を解消できるプロジェクタを提供する。【解決手段】ロアーケース４に形成された空気取入口７１に、ファンにより吸気された空気から塵埃等を除去するための第１のフィルターが設けられたプロジェクタ１であって、第１のフィルターよりも広面積の第２のフィルター８１を有するフィルターユニット８０を、第１のフィルターの外側から空気取入口７１を覆うようにロアーケース４に着脱自在としたものである。【選択図】        図５
2004157347.tif 000002
【特許請求の範囲】
【請求項１】
外装ケースに形成された空気取入口に、ファンにより吸気された空気から塵埃等を除去するための第１のフィルターが設けられたプロジェクタであって、
前記第１のフィルターよりも広面積の第２のフィルターを有するフィルターユニットを、前記第１のフィルターの外側から前記空気取入口を覆うように前記外装ケースに着脱自在としたことを特徴とするプロジェクタ。
【請求項２】
前記外装ケースは、プロジェクタを天吊りするための天吊り手段を備え、該天吊り手段により前記フィルターユニットが前記外装ケースに着脱自在とされてなることを特徴とする請求項１記載のプロジェクタ。
【請求項３】
前記天吊り手段は、前記外装ケースにおける前記空気取入口の周囲に形成された複数のネジ穴と、該複数のネジ穴に螺合される複数の天吊り用ネジとで構成され、前記フィルターユニットは前記ネジ穴に対応する位置に取付孔を有し、前記複数の天吊り用ネジのそれぞれを前記フィルターユニットに形成された複数の取付孔にそれぞれ挿通し、さらに前記複数のネジ穴に螺合することにより前記外装ケースに着脱自在とされてなることを特徴とする請求項２記載のプロジェクタ。
【請求項４】
前記外装ケースは、前記フィルターユニットを外装ケースの面方向にスライド自在に支持するように構成されてなることを特徴とする請求項１記載のプロジェクタ。
【請求項５】
前記外装ケースは、前記フィルターユニットを前記外装ケースの面方向にスライド自在に支持するガイド部と、スライド端を規制するストッパとを備えてなることを特徴とする請求項４記載のプロジェクタ
【請求項６】
前記外装ケースは略直方体形状を成しており、前記第２のフィルターは、前記外装ケースにおいて前記空気取入口が形成された面の大部分を覆う大きさに構成されてなることを特徴とする請求項１乃至請求項５の何れかに記載のプロジェクタ。
【請求項７】
前記フィルターユニットを前記プロジェクタの外装ケースに密着して装着したことを特徴とする請求項１乃至請求項６の何れかに記載のプロジェクタ。
【請求項８】
前記フィルターユニットは、前記外装ケースに当接する当接面と前記外装ケースとの間に枠状のパッキンを介在させることにより前記プロジェクタの外装ケースに密着して装着されてなることを特徴とする請求項７記載のプロジェクタ。
【請求項９】
前記第１のフィルターはウレタンスポンジ、前記第２のフィルターは静電フィルターであることを特徴とする請求項１乃至請求項８の何れかに記載のプロジェクタ。
【発明の詳細な説明】
【０００１】
【発明の属する技術分野】
本発明はプロジェクタに関し、さらに詳しくは空気の汚れた場所で使用する場合に好適なプロジェクタに関する。
【０００２】
【従来の技術】
従来より、プロジェクタには液晶パネルを空冷するための吸気ファンが設けられており、また、吸気ファンにより吸気された空気から塵等を除去するためのフィルターが設けられている（例えば、特許文献１参照）。
【０００３】
【特許文献１】
特開平６−３４９２８号公報（第３頁〜４頁、図２）
【０００４】
【発明が解決しようとする課題】
プロジェクタの使用場所としては、会議室などが従来より一般的であるが、近年では多様な場所で使用されるようになってきた。例えば、コンビニエンスストアや、パチンコ店、カラオケ屋、駅構内などである。この種の場所は空気の汚れが激しいことから、この種の場所にプロジェクターを設置した場合、従来のフィルターだけでは塵埃等を十分に除去できず、塵埃等が装置内部に流入して画像に悪影響を与えてしまうという問題があった。また、フィルターが直ぐに目詰まりして頻繁に交換しなければならないという不都合があった。
【０００５】
また、フィルターが目詰まりすることにより内部冷却が不十分となって内部温度が上昇し、温度センサがこれを感知してプロジェクタがシャットダウンしてしまうという不都合もあった。
【０００６】
本発明はこのような点に鑑みなされたもので、空気が汚れた場所での使用に際しての各種の不都合を解消できるプロジェクタを提供することを目的とする。
【０００７】
【課題を解決するための手段】
本発明に係るプロジェクタは、外装ケースに形成された空気取入口に、ファンにより吸気された空気から塵埃等を除去するための第１のフィルターが設けられたプロジェクタであって、第１のフィルターよりも広面積の第２のフィルターを有するフィルターユニットを、第１のフィルターの外側から空気取入口を覆うように外装ケースに着脱自在としたものである。本発明によれば、空気が汚れた場所で使用する場合などの必要時に、第１のフィルターとは別にフィルターユニットを取り付けることができるため、空気が汚れた場所で使用する場合であっても、第１のフィルターが直ぐに目詰まりするのを防止でき、第１のフィルターの交換回数を低減することが可能となる。なお、第２のフィルターは、第１のフィルターに比べて広面積に構成されているため、短時間で目詰まりすることなく、長期間に渡って使用可能となっている。このように、第１のフィルターの短時間での目詰まりを防ぐことが可能となるため、内部冷却不足による内部温度上昇に起因した意図しないプロジェクタのシャットダウンが防止され、空気の汚れた場所であっても長時間に渡って安定して使用することが可能となる。さらに、フィルターが２重に取り付けられることにより、装置内部への塵等の侵入防止能力が向上するため、空気の汚れた場所に設置されても長時間安定した画質を保持することが可能となる。
【０００８】
また、本発明に係るプロジェクタにおいて、前記外装ケースは、プロジェクタを天吊りするための天吊り手段を備え、天吊り手段によりフィルターユニットは外装ケースに着脱自在とされてなるものである。本発明によれば、天吊り手段によりフィルターユニットを外装ケースに着脱自在とすることができる。
【０００９】
また、本発明に係るプロジェクタにおいて、前記天吊り手段は、外装ケースにおける空気取入口の周囲に形成された複数のネジ穴と、複数のネジ穴に螺合される複数の天吊り用ネジとで構成され、フィルターユニットはネジ穴に対応する位置に取付孔を有し、複数の天吊り用ネジのそれぞれをフィルターユニットに形成された複数の取付孔にそれぞれ挿通し、さらに複数のネジ穴に螺合することにより外装ケースに着脱自在とされてなるものである。本発明によれば、フィルターユニットを天吊り用ネジとネジ穴との螺合により外装ケースに簡単に着脱自在に取り付けることができる。
【００１０】
また、本発明に係るプロジェクタにおいて、前記外装ケースは、フィルターユニットを外装ケースの面方向にスライド自在に支持するように構成されてなるものである。本発明によれば、フィルターユニットをスライドさせることにより外装ケースから簡単に着脱することができる。
【００１１】
また、本発明に係るプロジェクタにおいて、前記外装ケースは、フィルターユニットを外装ケースの面方向にスライド自在に支持するガイド部と、スライド端を規制するストッパとを備えてなるものである。本発明によれば、フィルターユニットは、ガイド部によってガイドされながらスライド可能で、且つストッパにより押し込み位置が決定されるので、フィルターユニットの着脱がより簡単となる。
【００１２】
また、本発明に係るプロジェクタにおいて、前記外装ケースは略直方体形状を成しており、第２のフィルターは、外装ケースにおいて空気取入口が形成された面の大部分を覆う大きさに構成されてなるものである。本発明によれば、第２のフィルターの面積が大きいため、第２のフィルタを長期間に渡って使用することができ、結果として第１のフィルターの使用期間も長期化でき、第１及び第２のフィルター両方の交換回数を低減することが可能となる。
【００１３】
また、本発明に係るプロジェクタは、前記フィルターユニットをプロジェクタの外装ケースに密着して装着したものである。本発明によれば、汚れた空気が第２のフィルターを介さずに第１のフィルターへ到達するのを確実に防止でき、これにより、交換回数の更なる低減が図れ、また、長期間に渡って安定的にプロジェクタを使用することが可能となる。
【００１４】
また、本発明に係るプロジェクタにおいて、前記フィルターユニットは、外装ケースに当接する当接面と外装ケースとの間に枠状のパッキンを介在させることによりプロジェクタの外装ケースに密着して装着されてなるものである。本発明によれば、枠状のパッキンを用いた簡単な構成でフィルターユニットを外装ケースに密着して装着することが可能となっている。
【００１５】
また、本発明に係るプロジェクタにおいて、前記第１のフィルターはウレタンスポンジ、第２のフィルターは静電フィルターである。本発明においては、空気取入口に吸引される空気に対して第１のフィルターよりも上流側の第２のフィルターを第１のフィルターよりも除塵能力の高い静電フィルターとしたので、十分に塵埃等が除去された空気が第１のフィルターに流入することになり、第１のフィルターに短時間で塵埃等が溜まるのを確実に防止することが可能となる。
【００１６】
【発明の実施の形態】
実施の形態１．
図１は、本発明のプロジェクタの外観を示す図である。本例のプロジェクタ１の外装ケース２は直方体形状をしている。この外装ケース２は、基本的には、アッパーケース３と、ロアーケース４と、装置前面を規定しているフロントケース５から構成されている。そして、フロントケース５の中央からは投写レンズユニット６の先端側の部分が突出している。
【００１７】
図２は、プロジェクタの外装ケースの内部における各構成部分の配置を示す図である。この図に示すように、外装ケース２の内部において、その後端側には電源ユニット７が配置されている。これよりも装置前側に隣接した位置には、光源ランプユニット８および光学ユニット９が配置されている。さらに、光学ユニット９の前側の中央には、投写レンズユニット６の基端側が位置している。
【００１８】
一方、光学ユニット９の一方の側には、装置前後方向に向けて入出力インタフェース回路が搭載されたインタフェース基板１１が配置され、これに平行に、ビデオ信号処理回路が搭載されたビデオ基板１２が配置されている。さらに、光源ランプユニット８および光学ユニット９の上側には、装置駆動制御用の制御基板１３が配置され、装置前端側の左右の角には、それぞれスピーカ１４Ｒ，１４Ｌが配置されている。
【００１９】
光学ユニット９の下方には装置内部冷却用の吸気ファン１５が配置されている。また、光源ランプユニット８の裏面側である装置側面には排気ファン１６が配置されている。そして、電源ユニット７における基板１１，１２の端に面する位置には、アッパーケース３に設けられた通気口１８からの冷却用空気流を電源ユニット７内に吸引するための補助冷却ファン１７が配置されている。
【００２０】
これらのファンのうち、ファン１５は、主に、後述する液晶パネル４０Ｒ，４０Ｇ，４０Ｂ冷却用のファンとして機能している。ファン１５に対向するロアーケース４の位置には、フィルター交換蓋７０で覆われた空気取入口７１が形成されている。このフィルター交換蓋７０には外部から取り入れた空気を装置内部へ冷却空気として導入するための複数の開口７２が形成され、このフィルター交換蓋７０の内側には、ファン１５により吸気された空気から塵埃を除去するための第１のフィルター７３が設けられている。この第１のフィルター７３としてはここではウレタンスポンジが用いられているが、これに限られたものではない。このフィルター交換蓋７０をロアーケース４の底面側から着脱することで内部の第１のフィルター７３を交換することが可能となっている。そして、この第１のフィルター７３の外側には、空気取入口７１を覆うように本発明の特徴部分である後述のフィルターユニット８０が取り付けられている。
【００２１】
以下、図３に基づき光学ユニット９および光学系の構成について説明する。
【００２２】
図３（Ａ）には、光学ユニット９の部分を示してある。この図に示すように、光学ユニット９は、その色合成手段を構成しているプリズムユニット２０以外の光学素子が上下のライトガイド９０１，９０２の間に上下から挟まれて保持された構成となっている。上ライトガイド９０１および下ライトガイド９０２は、それぞれ、アッパーケース３およびロアーケース４の側に固定ねじにより固定されている。また、これらの上下のライトガイド９０１，９０２は、プリズムユニット２０の側に同じく固定ねじによって固定されている。
【００２３】
プリズムユニット２０は、ダイキャスト板である厚手のヘッド板３０の裏面に固定ねじによって固定されている。このヘッド板３０の前面には、投写手段としての投写レンズユニット６の基端側が同じく固定ねじによって固定されている。
したがって、本例では、ヘッド板３０を挟み、プリズムユニット２０と投写レンズユニット６とが一体となるように固定された構造となっている。
【００２４】
図３（Ｂ）には、プロジェクタ１に組み込まれている光学系の概略構成を示してある。本例の光学系は、光源ランプ８０５と、均一照明光学素子であるインテグレータレンズ９２１，９２２を有する均一照明光学系９２３と、この照明光学系９２３から出射される光束Ｗを、赤、緑、青の各色光束Ｒ、Ｇ、Ｂに分離する色分離光学系９２４と、各色光束を変調する電気光学装置としての３枚の液晶パネル４０Ｒ，４０Ｇ，４０Ｂと、変調された色光束を合成する色合成光学系としてのプリズム合成体２２と、合成された光束を投写面上に拡大投写する投写レンズユニット６とから構成される。また、色分離光学系９２４によって分離された各色光束のうち、青色光束Ｂを対応する液晶パネル４０Ｂに導くリレー光学系９２７を有している。
【００２５】
均一照明光学系９２３は、さらに、反射ミラー９３１を備えており、光源ランプ８０５からの出射光の光軸１ａを装置前方向に向けて直角に折り曲げるようにしている。このミラー９３１を挟み、インテグレータレンズ９２１，９２２が前後に直交する状態に配置されている。
【００２６】
色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、このミラー９４１を通過して、後方の反射ミラー９４３で直角に反射されて、赤色光束の出射部９４４から色合成光学系の側に出射される。次に、緑反射ダイクロイックミラー９４２において、ミラー９４１において反射された青および緑の光束Ｂ、Ｇのうち、緑色光束Ｇのみが直角に反射されて、緑色光束の出射部９４５から色合成光学系の側に出射される。このミラー９４２を通過した青色光束Ｂは、青色光束の出射部９４６からリレー光学系９２７の側に出射される。本例では、均一照明光学素子の光束の出射部から、色分離光学系９２４における各色光束の出射部９４４，９４５，９４６までの距離が全てほぼ等しくなるように設定されている。
【００２７】
色分離光学系９２４の赤色光束及び緑色光束の出射部９４４，９４５の出射側には、それぞれ集光レンズ９５１，９５２が配置されている。したがって、各出射部から出射した赤色光束及び緑色光束は、これらの集光レンズ９５１，９５２に入射して平行化される。
【００２８】
平行化された赤色および緑色の光束Ｒ、Ｇは、偏光板６０Ｒ，６０Ｇによって偏光方向が揃えられた後、液晶パネル４０Ｒ，４０Ｇに入射して変調され、各色光に対応した画像情報が付加される。すなわち、これらの液晶パネル４０Ｒ，４０Ｇは、図示していない駆動手段によって画像情報に対応する画像信号によってスイッチング制御され、これにより、ここを通過する各色光の変調が行われる。
このような駆動手段は、公知の手段をそのまま使用することができる。
【００２９】
一方、青色光束Ｂは、リレー光学系９２７を介し、さらに、偏光板６０Ｂによって偏光方向が揃えられた後、対応する液晶パネル４０Ｂに導かれて、ここにおいて、同様に画像情報に応じて変調が施される。尚、本例の液晶パネル４０Ｒ，４０Ｇ，４０Ｂは、例えば、ポリシリコンＴＦＴをスイッチング素子として用いたものを使用できる。
【００３０】
リレー光学系９２７は、集光レンズ９７４と入射側反射ミラー９７１と、出射側反射ミラー９７２と、これらのミラー間に配置した中間レンズ９７３と、液晶パネル４０Ｂの手前側に配置した集光レンズ９５３から構成される。各色光束の光路の長さ、すなわち、光源ランプ８０５から各液晶パネルまでの距離は、青色光束Ｂが最も長くなり、したがって、この光束の光量損失が最も多くなる。しかし、リレー光学系９２７を介在させることにより、光量損失を抑制できる。
【００３１】
各液晶パネル４０Ｒ，４０Ｇ，４０Ｂを通って変調された各色光束は、偏光板６１Ｒ，６１Ｇ，６１Ｂに入射し、これを透過した光がプリズム合成体２２に入射され、ここで合成される。本例では、ダイクロイックプリズムからなるプリズム合成体２２を用いて色合成光学系を構成している。ここで合成されたカラー画像は、投写レンズユニット６を介して、所定の位置にある投写面１０上に拡大投写される。
【００３２】
次に本発明の特徴部分であるフィルターユニット８０に関して説明する。
【００３３】
図４は、実施の形態１のプロジェクタ要部の分解斜視図で、プロジェクタ１を底面側から見た斜視図となっている。また、図５は、フィルターユニット８０を取り付ける前のロアーケース４を底面側から見た斜視図である。
フィルターユニット８０は、プロジェクタ１を空気が汚れた場所で使用する場合などの必要時に、従来から空気取入口７１に備えられている第１のフィルター７３に加えて更に取り付けられるもので、第１のフィルター７３の外側から空気取入口７１を覆うようにロアーケース４に装着されるものである。また、空気の汚れが激しくない場所で使用する場合などの不要時には、ロアーケース４から取り外しができるように着脱自在に構成されるもので、その構成については以下に詳述する。
【００３４】
ここで、ロアーケース４には、プロジェクタ１を天井から吊り下げた形態で使用するための天吊り手段が設けられている。この天吊り手段は、図５に示すように、空気取入口７１の周囲、更に詳しくはロアーケース４における四隅の角部に設けられた挿通孔９１の奥側（装置内部側）に設けられたネジ穴（図示せず）と、このネジ穴に螺合される複数（ここでは４個）の天吊り用ネジ９０とで構成されている。天吊り使用時には、プロジェクター側ブラケット（図示せず）を天吊り手段によりロアーケース４に固定し、プロジェクター側ブラケット（図示せず）を、天井側に固定した天井側ブラケット（図示せず）に装着することによりプロジェクタ１が天吊りされる。一方、机上での使用時には、各天吊り用ネジ９０はそれぞれ対応の各挿通孔９１を挿通し、ロアーケース４において挿通孔９１の奥側（装置内部側）に設けられたネジ穴（図示せず）に直接螺合された図５に示す状態のままで保持されている。実施の形態１のプロジェクタ１においては、この天吊り手段を利用してフィルターユニット８０をロアーケース４に着脱自在に装着するものである。
【００３５】
フィルターユニット８０は、図２（Ｂ）および図４に示すように第１のフィルター７３よりも広面積、さらに好ましくは外装ケース２において空気取入口７１が形成された面すなわちロアーケース４の底面の大部分を覆う面積を有する第２のフィルター８１と、第２のフィルター８１を収納するための略矩形状の収納凹部８２を有するフィルターカバー８３とを備えている。第２のフィルター８１としてはここでは静電フィルターが用いられているが、これに限られたものではない。収納凹部８２の底面には複数の通気口８２ａが形成され、また、収納凹部８２の開口部周囲には、フィルターカバー８３がロアーケース４に取り付けられた際にロアーケース４の外表面に当接する当接面８４が形成されている。この当接面８４には、複数の挿通孔９１に対応する複数箇所（ここでは４箇所）に天吊り用ネジ９０が挿通される取付孔８５が穿設されている。
【００３６】
このように構成されたフィルターユニット８０をロアーケース４に取り付ける場合には、まず、収納凹部８２内に第２のフィルター８１を収納し、その状態でフィルターカバー８３をロアーケース４上に載せて当接面８４をロアーケース４の表面に接触させる。そして、各天吊り用ネジ９０を各取付孔８５にそれぞれ挿通し、ロアーケース４に設けられている挿通孔９１の奥側（装置内部側）に設けられた図示しないネジ穴に螺合する。これによりフィルターユニット８０は、空気取入口７１を第１のフィルター７３（図２参照）の外側から覆うようにロアーケース４に着脱自在に取り付けられる。
【００３７】
そして、空気が汚れた場所で使用するに際し、フィルターユニット８０を上記手順でロアーケース４に取り付け、その状態でファン１５を稼働させると、吸引された汚れた空気は、まず、フィルターユニット８０のフィルターカバー８３の通気口８２ａを介して第２のフィルター８１を通過し、ここで塵埃等が除去されて清浄化される。ついで、第１のフィルター７３を通過し、ここで更に塵埃等が除去されて更に清浄化され、そして、空気取入口７１から装置内部に流入する。
このように、汚れた空気が第１のフィルター７３を通過する前に第２のフィルター８１を通過させるようにしたため、空気が汚れた場所で使用する場合であっても、第１のフィルター７３が直ぐに目詰まりするのを防止でき、よって、第１のフィルター７３の交換回数の増加を防ぐことができる。
【００３８】
なお、第２のフィルター８１は、第１のフィルター７３に比べて広面積、さらに好ましくはロアーケース４の底面の大部分を覆う面積に構成されているため、短時間で目詰まりすることなく、長期間に渡って使用可能となっている。
【００３９】
このように第１のフィルター７３の短時間での目詰まりを防ぐことが可能となるため、内部冷却不足による内部温度上昇に起因した意図しないプロジェクタ１のシャットダウンが防止され、空気の汚れた場所であっても長時間に渡って安定して使用することが可能となる。
【００４０】
また、フィルターが２重に取り付けられることにより、プロジェクタ１内部への塵埃等の侵入防止能力が高まるため、長時間安定した画質を保持することが可能となる。
【００４１】
実施の形態２．
実施の形態２はフィルターユニット８０をスライド式でロアーケース４から着脱できるようにして着脱時の作業性の向上を図ったものである。
【００４２】
図６は実施の形態２のプロジェクタ要部の分解斜視図である。
ロアーケース４には、フィルターユニット８０をロアーケース４の面方向にスライド自在に支持するガイド部１００と、スライド端を規制するストッパ１０１とが設けられている。ガイド部１００は、ロアーケース４の左右端部それぞれにおいて所望の長さを切り起こして立設し、先端部分をロアーケース４の表面と平行になるように屈曲させた一対の切り起こし片（以下、符号１００を付す）から構成されている。切り起こし片１００の先端面とロアーケース４表面との隙間は、当接面８４の厚みよりも僅かに大きい程度に設定されており、フィルターカバー８３の当接面８４をスライド可能に挾持できるようになっている。また、ストッパ１０１は、ロアーケース４の前面端部（図示手前側端部）を切り起こして立設した構成となっている。
【００４３】
このように構成されたロアーケース４にフィルターユニット８０を取り付ける場合には、まず、矢印ａに示すようにフィルターカバー８３の収納凹部８２内に第２のフィルター８１を収納し、その状態でロアーケース４を図示矢印ｂ方向（ロアーケース４の面方向）にスライドさせ、ストッパ１０１によって規制される位置まで押し込むことにより取り付けられる。
【００４４】
実施の形態２によれば、実施の形態１とほぼ同様の効果が得られると共に、ロアーケース４にガイド部１００を設けてフィルターユニット８０をスライド式で装着可能としたことにより、実施の形態１のネジ留めによる方法に比べて着脱時の作業性が向上する。
【００４５】
また、実施の形態１では、フィルターユニット８０を天吊り手段を利用してロアーケース４に装着するようにしているため、プロジェクタ１を空気の汚れた場所で天吊り状態で使用する場合には、天吊り手段は本来の使用方法に供されることになりフィルターユニット８０の取り付けには利用できなくなる。これに対し、本実施の形態２のスライド式によれば、天吊り状態においてもフィルターユニット８０の取り付けが可能である。
【００４６】
なお、フィルターユニット８０を着脱自在とするための構成としては、本明細書では、上記実施の形態１のネジ留めによる構成、実施の形態２のスライド式による構成を例に挙げて説明したが、これらの構成に限られたものではなく、着脱可能な構成であれば本発明の実施の形態に含まれるものとする。
【００４７】
実施の形態３．
図７は実施の形態３のプロジェクタ要部の分解斜視図である。
実施の形態３は、フィルターカバー８３の当接面８４とロアーケース４との間に、枠状のパッキン１１０を介在させ、フィルターユニット８０をプロジェクタ１のロアーケース４に密着して装着するようにしたものである。
【００４８】
パッキン１１０には、各取付孔８５に対応する箇所にそれぞれ挿通孔１１１が穿設されており、実施の形態３においては、ロアーケース４上に、パッキン１１０、第２のフィルター８１を収納凹部８２内に収納したフィルターカバー８３を順に載せた後、各天吊り用ネジ９０を取付孔８５、パッキン１１０の挿通孔１１１、ロアーケース４の挿通孔９１の順に挿通し、挿通孔９１の奥側（装置内部側）に設けられた図示しないネジ穴に螺合することによりフィルタユニット８０がロアーケース４に着脱自在に取り付けられる。
【００４９】
このように構成したことにより、汚れた空気がロアーケース４と当接面８４と間の隙間から侵入するのを防止できる。すなわち、汚れた空気が第２のフィルター８１を通過せずに第１のフィルター７３へ到達するのを確実に防止でき、これにより、第１のフィルター７３の交換回数の更なる低減、長期間に渡っての安定的なプロジェクタの使用が期待できる。なお、フィルターユニット８０とロアーケース４とを密着して装着するための構成としては、単にフィルターカバー８３の当接面８４とロアーケース４との間に枠状のパッキン１１０を介在させるだけの簡単な構成であるため、構成が簡単でありながらも上記の優れた効果を提供することが可能となっている。
【００５０】
なお、上記各実施の形態において、第１のフィルター７３としてウレタンスポンジ、第２のフィルター８１として静電フィルターを用いた場合を例に説明してきたが、この組み合わせに限られたものではない。但し、空気取入口７１に吸引される空気に対して第１のフィルター７３よりも上流側となる第２のフィルター８１に、エアフィルター（第１のフィルター７３）よりも除塵能力の高い静電フィルターを用いることは、第１のフィルター７３の短時間での目詰まりを防止する観点から好適な使用形態と言える。
【００５１】
また、本発明のプロジェクタの要部の構成は、図３に示した構成の液晶プロジェクタへの適用に限られたものではなく、ＤＬＰ（ディジタル・ライト・プロセシング）を用いたプロジェクタ、３管式プロジェクタ等にも適用可能である。
【図面の簡単な説明】
【図１】本発明のプロジェクタの外観を示す図。
【図２】図１の外装ケースの内部における各構成部分の配置を示す図。
【図３】（Ａ）光学レンズユニットと投写レンズユニットの部分を取り出して示す図。（Ｂ）光学系の概略構成図。
【図４】実施の形態１のプロジェクタ要部の分解斜視図。
【図５】フィルターユニット取付前のロアーケースの底面側斜視図。
【図６】実施の形態２のプロジェクタ要部の分解斜視図。
【図７】実施の形態３のプロジェクタ要部の分解斜視図。
【符号の説明】
１  プロジェクタ、２  外装ケース、４  ロアーケース、１５  ファン、７０  フィルター交換蓋、７１  空気取入口、７３  第１のフィルター、８０  フィルターユニット、８１  第２のフィルター、８２  フィルタカバー、８３  収納凹部、８４  当接面、８５  取付孔、９０  天吊り用ネジ、９１  挿通孔
【図１】
2004157347.tif 000003
【図２】
2004157347.tif 000004
【図３】
2004157347.tif 000005
【図４】
2004157347.tif 000006
【図５】
2004157347.tif 000007
【図６】
2004157347.tif 000008
【図７】
2004157347.tif 000009